(57)【要約】【課題】二重のロック機構を備え、蓋部の閉止を確実にロックする。【解決手段】容器部２と、容器部２上に被せるキャップ部３とから成り、キャップ部３はキャップ本体４、蓋部５を有しており、キャップ本体４の一端部に蓋部５が開閉自在に取り付けられている。キャップ本体４には、Ｕ字壁４ｆが形成され、その上部に第１の軸受部４ｇが設けられ、垂直壁４ｈの外側に第２の軸受部が設けられている。  ロックプレート４ｊは下半部がＵ字壁４ｆの底部内に納まる円形の外表面を有し、第１の軸受部４ｇに回動自在に軸支され、上半部が内側に向けて付勢されている。上部裏側に係止突起が突出され、ロック時に蓋部５のロック受け部５ｃに係止される。第２の軸受部には、ロックアーム４ｍが取り付けられ、上下方向に反転可能とされ、蓋部５の円弧壁５ｂの上縁を囲むことによりロックする。【選択図】図１
2015058949.tif 000002
【特許請求の範囲】
【請求項１】
飲料を入れるための容器部と、該容器部の上部の開口部にキャップ部とを螺合により固定し、該キャップ部に蝶番部を介して蓋部を開閉自在に取り付け、かつ前記キャップ部の上部の仕切板中央に吸飲管を備えたストローユニットを取り付けた幼児用飲料容器において、
前記キャップ部に第１の軸受部に軸支し前記蓋部が開かないようにロックする第１のロック部材を設け、前記第１の軸受部よりも下方に第２の軸受部により軸支した第２のロック部材を設け、
前記第１のロック部材は係止突起を有し、該係止突起を前記蓋部の閉止により前記蓋部のロック受部に係止させて第1のロック状態とし、
前記第２のロック部材はアーム部を有し、前記第1のロック状態の前記蓋部の上縁に前記アーム部を係止させて第２のロック状態とすることを特徴とする幼児用飲料容器。
【請求項２】
前記第１のロック部材は板状体とし、該板状体の裏面の係止突起を前記蓋部に設けたロック受部に係止することによりロックすることを特徴とする請求項１に記載の幼児用飲料容器。
【請求項３】
前記第１のロック部材はばねによる付勢力により、第１のロック部材によるロック状態を維持するようにしたことを特徴とする請求項１又は２に記載の幼児用飲料容器。
【請求項４】
前記第１のロック部材によるロックの解除は、前記板体の一部を押圧して前記係止突起を前記ロック受部から外すことにより行うことを特徴とする請求項１〜３の何れか１項に記載の幼児用飲料容器。
【請求項５】
前記第２のロック部材はロック状態において前記第１のロック部材を覆う覆板を有することを特徴とする請求項１〜４の何れか１項に記載の幼児用飲料容器。
【請求項６】
前記第２のロック部材は前記第２の軸受部に対し取り外し可能としたことを特徴とする請求項１〜５の何れか１項に記載の幼児用飲料容器。
【請求項７】
前記第２のロック部材によるロックの解除は、前記アーム部を前記蓋部の上縁から外すことにより行うことを特徴とする請求項１〜６の何れか１項に記載の幼児用飲料容器。
【請求項８】
前記第１のロック部材の解除をすると、前記蓋部は前記吸飲管の復元により開くことを特徴とする請求項１〜７の何れか１項に記載の幼児用飲料容器。
【発明の詳細な説明】
【技術分野】
【０００１】
本発明は、付設のストローを介して、幼児が内部のミルクやジュース等の飲料を吸飲する幼児用飲料容器に関するものである。
【背景技術】
【０００２】
特許文献１は公知の幼児用飲料容器を開示している。この公報の段落番号［００２３］〜［００２５］、図１、図７によれば、蓋部４１の蓋周壁下部４６に設けられた押圧片５０により、蓋部４１がキャップ本体１１と係止し、押圧片５０を押し上げることで蓋部４１が軸１９を中心に開くようになっている。
【先行技術文献】
【特許文献】
【０００３】
【特許文献１】特開２００５−１０４５５１号公報
【発明の概要】
【発明が解決しようとする課題】
【０００４】
特許文献１による幼児用飲料容器をカバン等に入れた状態で持ち歩いたときに、カバン内の内容物が押圧片５０を押圧し、押圧片５０による係止状態が解除されてしまうことがある。この場合に、蓋部４１が大きく開いて、付設のストローを介して容器内の飲料が溢れてしまうという問題がある。特に、容器を横にした状態で蓋部４１が開いてしまうと、大量の飲料物がカバン内にこぼれてしまうことになる。
【０００５】
また、幼児が不時に押圧片５０を押してしまい、押圧片５０の係止状態が解除され、蓋部４１が開放してしまうという問題もある。
【０００６】
本発明の目的は、上述の課題を解消し、蓋部の閉止を確実にロックする二重のロック機構を備えた幼児用飲料容器を提供することにある。
【課題を解決するための手段】
【０００７】
上記目的を達成するための本発明に係る幼児用飲料容器は、飲料を入れるための容器部と、該容器部の上部の開口部にキャップ部とを螺合により固定し、該キャップ部に蝶番部を介して蓋部を開閉自在に取り付け、かつ前記キャップ部の上部の仕切板中央に吸飲管を備えたストローユニットを取り付けた幼児用飲料容器であって、前記キャップ部に第１の軸受部に軸支し前記蓋部が開かないようにロックする第１のロック部材を設け、前記第１の軸受部よりも下方に第２の軸受部により軸支した第２のロック部材を設け、前記第１のロック部材は係止突起を有し、該係止突起を前記蓋部の閉止により前記蓋部のロック受部に係止させて第1のロック状態とし、前記第２のロック部材はアーム部を有し、前記第1のロック状態の前記蓋部の上縁に前記アーム部を係止させて第２のロック状態とすることを特徴とする。
【発明の効果】
【０００８】
本発明に係る幼児用飲料容器は、蓋部の閉止をロックするロック機構を二重構造とし、たとえカバンの内容物による押圧や容器の落下による衝撃を与えたとしても、蓋部のロック状態が解除されることはない。
【０００９】
また、幼児が蓋部の二重のロック状態を容易には解除することができないので、幼児が勝手に蓋部を開けてしまうこともない。
【図面の簡単な説明】
【００１０】
【図１】実施例１の蓋部を開けた状態の斜視図である。
【図２】断面図である。
【図３】ロックプレートによりロックした状態の斜視図である。
【図４】断面図である。
【図５】ロックプレート、ロックアームによりロックした状態の斜視図である。
【図６】実施例２のロックプレートによりロックした状態の斜視図である。
【図７】ロックプレート、ロックアームによりロックした状態の斜視図である。
【発明を実施するための形態】
【００１１】
本発明を図示の実施例に基づいて詳細に説明する。
【実施例１】
【００１２】
図１は実施例１の蓋部を開いた状態の幼児用飲料容器の斜視図であり、図２は断面図である。幼児用飲料容器１は、ミルクや水等の飲料を入れた円筒状の容器部２と、この容器部２の上部に螺合により被せるキャップ部３とから成り、キャップ部３はキャップ本体４、蓋部５、ストローユニット６から構成されている。
【００１３】
容器部２は、上部に設けた開口部２ａと、この開口部２ａの外側表面に設けた外ねじ部２ｂと、飲料を入れる容器本体２ｃとから成っている。
【００１４】
キャップ部３において、短円筒状のキャップ本体４の上部にはキャップ本体４の内部を密封する仕切板４ａが設けられ、キャップ本体４の一端部に蝶番部４ｂを介して蓋部５が仕切板４ａ上を開閉自在に取り付けられている。またキャップ本体４には、更に内側下部に容器部２の外ねじ部２ｂと螺合して固定する内ねじ部４ｃと、仕切板４ａの一部にストローユニット６を取り付ける孔部４ｄと、容器部２内の空気の圧力を調整する空気弁部を取り付ける空気圧調整孔部４ｅとが設けられている。
【００１５】
また、仕切板４ａのほぼ中央部の孔部４ｄには、柔軟で弾発性を有する合成樹脂材から成るストローユニット６が取り付けられている。ストローユニット６は図２に示すように、孔部４ｄに挿通する基部６ａと、基部６ａの上部に突出する吸飲管６ｂと、基部６ａの下部に取り付けられ容器部２内に延在する管体６ｃとを有している。また、ストローユニット６には空気弁部６ｄが一体に付設されており、この空気弁部６ｄは空気圧調整孔部４ｅ内に挿入されている。
【００１６】
キャップ本体４には、蝶番部４ｂの反対側に底部をＵ字状としたＵ字壁４ｆが形成されており、このＵ字壁４ｆの上部の両側に一対の第１の軸受部４ｇが水平方向に配置されており、Ｕ字壁４ｆの底部の両側に設けた垂直壁４ｈの外側には図示を省略した一対の第２の軸受部４ｉが設けられている。
【００１７】
第１のロック部材であるロックプレート４ｊは板状体から成り、下半部がＵ字壁４ｆのＵ字状の底部内に納まる円形の外表面を有し、上半部はＵ字壁４ｆの上端よりも上方に突出されている。ロックプレート４ｊはその中央部において、第１の軸受部４ｇにばねを巻回した金属軸棒を介して回動自在に軸支され、ロックプレート４ｊの上半部の上部裏側には上面を稍々斜面とした鉤状の係止突起４ｋが内側に向けて突出されている。また、ロックプレート４ｊの上半部は常時、内側に向けてばねにより付勢され、ロック状態が維持されるようになっている。
【００１８】
蓋部５の裏面には、閉止時にストローユニット６の吸飲管６ｂを屈曲して封止するための凸片５ａが設けられている。更に蓋部５には、ロックプレート４ｊの上縁に接する円弧壁５ｂが形成されており、この円弧壁５ｂの下部に係止突起４ｋと係止するロック受部５ｃが設けられている。
【００１９】
第２の軸受部４ｉには、Ｕ字部４ｌを有する取り外し可能な第２のロック部材であるロックアーム４ｍが取り付けられ、ロックアーム４ｍの両端を拡げて両端の内側に設けた凸部を、凹部状である第２の軸受部４ｉに外側から嵌合し得るようにされている。ロックアーム４ｍは第２の軸受部４ｉを中心に上下方向に反転可能とされ、上方に反転したときにＵ字部４ｌは円弧壁５ｂの上縁を囲むようにされている。また、このロックアーム４ｍは第２の軸受部４ｉから取り外すことが可能で、自在に洗浄することができる。
【００２０】
図３はロックプレート４ｊが第１のロックをした状態、ロックアーム４ｍは未ロックの状態の斜視図、図４は断面図である。蓋部５を閉じると、ロック受部５ｃがロックプレート４ｊの係止突起４ｋの上面の斜面をばねの付勢力に抗して外側に押してロックプレート４ｊが付勢力により復元することにより、係止突起４ｋとロック受部５ｃとの係止がなされ、蓋部５が開かないようにロックがなされる。
【００２１】
蓋部５の閉止により、蓋部５の凸片５ａが吸飲管６ｂを押し込み、吸飲管６ｂを折り曲げる。この吸飲管６ｂの屈曲により、幼児用飲料容器１を転倒しても容器部２内の飲料の流通を規制するので、飲料は吸飲管６ｂを通って外部に漏れ出ることはない。また、空気弁部６ｄはキャップ部３の内外の圧力を調整するものであるから、この空気弁部６ｄから飲料がこぼれ出ることもない。
【００２２】
図５はロックプレート４ｊをロック状態にした後に、更にロックアーム４ｍをロック状態とした場合の斜視図である。図３、図４に示す状態のロックアーム４ｍのＵ字部４ｌを指で持ち上げて上方に反転し、Ｕ字部４ｌを蓋部５の円弧壁５ｂの上縁に引っ掛けることにより係止させて、蓋部５が開かないように第２のロックを行う。Ｕ字部４ｌの円弧壁５ｂに対する係止状態においては、適度な摩擦抵抗があるためロックアーム４ｍが自然に動いてロックが解除されることはない。
【００２３】
このように、ロックプレート４ｊ、ロックアーム４ｍにより閉止状態の蓋部５に対する第１、第２のロックを二重に行うことで、たとえロックプレート４ｊの表面に衝撃が加わっても、ロックアーム４ｍにより第２のロックがなされているので蓋部５が開くことはない。また、ロックアーム４ｍがたとえ異物に引っ掛かって外れても、ロックプレート４ｊの第１のロックにより蓋部５が開くこともない。
【００２４】
容器部２に飲料を入れるには、容器部２からキャップ部３の螺合を緩めて取り外し、容器部２内に飲料を注ぎ入れる。その後に、容器部２にキャップ部３を取り付け、蓋部５を閉止しロックプレート４ｊによる第１のロック、続いてロックアーム４ｍによる第２のロックを行って蓋部５に対する二重のロックを行う。
【００２５】
蓋部５を開けるには、ロックアーム４ｍを下方に反転して第２のロックを解除し、次にロックプレート４ｊの表面の下半部を指で押圧すると、係止突起４ｋとロック受部５ｃによる第１のロックが解除される。この第１のロックの解除により、ストローユニット６の吸飲管６ｂの弾発力によって、蓋部５は図１に示すように上方に跳ね上げられて開放状態となる。このとき、折れ曲がっていた吸飲管６ｂは直線状に復元するので、幼児は吸飲管６ｂ、管体６ｃを介して容器部２内の飲料を吸飲することができる。
【実施例２】
【００２６】
図６は実施例２の幼児用飲料容器１の斜視図である。ロックアーム４ｍ’には、外縁がＵ字状のロックアーム４ｍ’を覆うように円形の覆板４ｎが設けられている。
【００２７】
図７に示すように、このロックアーム４ｍ’を第２の軸受部４ｉを軸として上方に回動させると、ロックアーム４ｍが円弧壁５ｂの上縁と嵌合して、ロックアーム４ｍ’はロック状態となると共に、ロックプレート４ｊの表面は覆板４ｎにより覆われることになる。
【００２８】
このように、ロックプレート４ｊを覆板４ｎにより覆うことで、ロックアーム４ｍ’による第２のロックを先に解除しない限り、ロックプレート４ｊに解除されることはないので、ロック解除の手順を迷うことはなくなる。また、覆板４ｎはロックプレート４ｊを保護し、ロックプレート４ｊの裏面等にミルクの滓や塵埃が入り難くなるので、第１の軸受部４ｇの目詰まりによる不具合も生じ難くなり、かつ衛生的である。
【符号の説明】
【００２９】
１  幼児用飲料容器
２  容器部
２ｃ  容器本体
３  キャップ部
４  キャップ本体
４ａ  仕切板
４ｂ  蝶番部
４ｆ  Ｕ字壁
４ｇ  第１の軸受部
４ｈ  垂直壁
４ｉ  第２の軸受部
４ｊ  ロックプレート
４ｋ  係止突起
４ｌ  Ｕ字部
４ｍ  ロックアーム
４ｎ  覆板
５  蓋部
５ａ  凸片
５ｂ  円弧壁
５ｃ  ロック受部
６  ストローユニット
６ｂ  吸飲管
【図１】
2015058949.tif 000003
【図２】
2015058949.tif 000004
【図３】
2015058949.tif 000005
【図４】
2015058949.tif 000006
【図５】
2015058949.tif 000007
【図６】
2015058949.tif 000008
【図７】
2015058949.tif 000009